(57)【要約】　　　（修正有）【課題】セメント系材料や石灰系材料が添加処理されたアルカリ地盤を緑化用に改良する方法の提供。【解決手段】セメント系材料もしくは石灰系材料で処理された改良土１が堤体材の一部として使用されている斜面２上に、薬剤、特に燐酸系若しくは硫酸系化学肥料として過燐酸石灰、重過燐酸石灰若しくは硫酸マグネシウム４を散布管３を用いて散布することにより、改良土１のｐＨを低下させるとともに、該改良土の電気伝導度ＥＣの上昇を抑制する。【選択図】　図１
2004059905.tif 000002
【特許請求の範囲】
【請求項１】
セメント系材料もしくは石灰系材料で処理された改良土に含まれる水酸化カルシウムと反応することによって難溶性の塩を形成する薬剤を前記改良土に添加することで、前記改良土のｐＨを低下させるとともに該改良土の電気伝導度ＥＣの上昇を抑制することを特徴とするアルカリ地盤の改良方法。
【請求項２】
前記改良土のｐＨが１０以下でかつ電気伝導度ＥＣが２ｍｓ／ｃｍ以下となるように前記薬剤の添加量を調整する請求項１記載のアルカリ地盤の改良方法。
【請求項３】
前記薬剤を燐酸系若しくは硫酸系化学肥料とする請求項１又は請求項２記載のアルカリ地盤の改良方法。
【請求項４】
前記薬剤を過燐酸石灰、重過燐酸石灰若しくは硫酸マグネシウムとする請求項３記載のアルカリ地盤の改良方法。
【請求項５】
前記薬剤の添加量を前記改良土の単位容積当たり、２〜５重量％とする請求項４記載のアルカリ地盤の改良方法。
【発明の詳細な説明】
【０００１】
【発明の属する技術分野】
本発明は、セメント・石灰等で処理されたアルカリ地盤を、主として緑化用に改良する方法に関する。
【０００２】
【従来の技術】
場所打ち杭や地中連続壁といった基礎工事あるいはシールドトンネル工事においては、建設泥土が多量に発生する。また、水質汚染を防止するため、その原因となるヘドロ層を浚渫によって除去することがあるが、かかる浚渫工事においても浚渫泥土が多量に発生する。
【０００３】
このような発生土は、従来であれば脱水、ｐＨ処理といった処理を経た後、産業廃棄物として処分されることが多かったが、資源の有効利用や環境保護あるいは処分コストの低減といった観点から言えば、できるだけ再利用されることが望ましい。
【０００４】
このような背景の下、最近では、発生土にセメント系材料または石灰系材料を添加混合して強度を改善し、かかる改良土を盛土材、斜面形成材、遮水壁の構築材あるいは裏込め等の空洞充填材として有効利用されることが多くなってきた。
【０００５】
【特許文献１】
特開平８−１３４４４４号公報
【特許文献２】
特開平８−１５７８２２号公報
【特許文献３】
特開平８−０６０１５５号公報
【０００６】
【発明が解決しようとする課題】
しかしながら、かかる改良土が使用された箇所では、セメント系材料や石灰系材料が添加されている関係上、アルカリ性が強くて植物の生育に適さない環境となり、緑化することが非常に困難となるという問題を生じていた。
【０００７】
なお、どうしても緑化が必要な場合には、健全な良質土を客土するか、硫酸、硫酸第一鉄、イオウ華といった薬剤を添加して中和する等の方法が考えられなくもないが、前者の方法ではコストがかかりすぎるという問題が生じ、後者の方法では、薬剤が危険物であるので取り扱いに十分な配慮が必要になるとともに作業にあたっては有資格者が必要となるという新たな問題が生じる。また、後者の方法では、適量を添加することが難しく、ややもすれば過剰添加となって酸性地盤になってしまうことも少なくなかった。
【０００８】
本発明は、上述した事情を考慮してなされたもので、セメント系材料や石灰系材料が添加された改良土が使用された箇所においても確実に緑化を行うことが可能なアルカリ地盤の改良方法を提供することを目的とする。
【０００９】
【課題を解決するための手段】
上記目的を達成するため、本発明のアルカリ地盤の改良方法は請求項１に記載したように、セメント系材料もしくは石灰系材料で処理された改良土に含まれる水酸化カルシウムと反応することによって難溶性の塩を形成する薬剤を前記改良土に添加することで、前記改良土のｐＨを低下させるとともに該改良土の電気伝導度ＥＣの上昇を抑制するものである。
【００１０】
また、本発明のアルカリ地盤の改良方法は、前記改良土のｐＨが１０以下でかつ電気伝導度ＥＣが２ｍｓ／ｃｍ以下となるように前記薬剤の添加量を調整するものである。
【００１１】
また、本発明のアルカリ地盤の改良方法は、前記薬剤を燐酸系若しくは硫酸系化学肥料とするものである。
【００１２】
また、本発明のアルカリ地盤の改良方法は、前記薬剤を過燐酸石灰、重過燐酸石灰若しくは硫酸マグネシウムとするものである。
【００１３】
また、本発明のアルカリ地盤の改良方法は、前記薬剤の添加量を前記改良土の単位容積当たり、２〜５重量％とするものである。
【００１４】
本発明に係るアルカリ地盤の改良方法においては、セメント系材料もしくは石灰系材料で処理された改良土に含まれる水酸化カルシウムと反応することによって難溶性の塩を形成する薬剤を該改良土に添加することで、前記改良土のｐＨを低下させるとともに該改良土の電気伝導度ＥＣの上昇を抑制する。
【００１５】
このようにすると、水酸化カルシウムの水酸化イオンは難溶性の塩に取り込まれあるいは水に変化し、改良土のアルカリ度は、緑化を行うのに十分な程度まで低下するとともに、電気伝導度（ＥＣ）の上昇が抑制されるため、植物の成長に適した環境を作り出すことができる。
【００１６】
薬剤の添加量は、例えば改良土のｐＨが１０以下でかつ電気伝導度ＥＣが２ｍｓ／ｃｍ以下となるように調整することが考えられる。
【００１７】
薬剤の添加の仕方としては、改良土を例えば覆土したり堤体材として使用する前に該改良土に添加するようにしてもよいし、覆土や堤体が施工された後で薬剤を散布し、必要に応じて適宜耕耘し改良土と混ぜるようにしてもよい。
【００１８】
薬剤としては、改良土に含まれる水酸化カルシウムと反応して難溶性の塩を形成するものであればどのようなものでもよいが、該薬剤を燐酸系若しくは硫酸系化学肥料とするならば、比較的入手が容易で安全性も高く、過剰散布による影響も少ない。
【００１９】
特に、前記薬剤を過燐酸石灰、重過燐酸石灰若しくは硫酸マグネシウムとするのが望ましい。この場合、前記薬剤の添加量を前記改良土の単位容積当たり、２〜５重量％とすると、植物の成長に適した環境を確実に作り出すことができる。
【００２０】
【発明の実施の形態】
以下、本発明に係るアルカリ地盤の改良方法の実施の形態について、添付図面を参照して説明する。なお、従来技術と実質的に同一の部品等については同一の符号を付してその説明を省略する。
【００２１】
図１は、本実施形態に係るアルカリ地盤の改良方法を示した略図である。同図でわかるように、本実施形態に係るアルカリ地盤の改良方法においては、まず、同図（ａ）に示すように、セメント系材料もしくは石灰系材料で処理された改良土１が堤体材の一部として使用されている斜面２上に薬剤、特に燐酸系若しくは硫酸系化学肥料としての過燐酸石灰、重過燐酸石灰若しくは硫酸マグネシウム４を散布管３を用いて散布する。
【００２２】
次に、必要に応じて斜面２上を適宜耕耘し、これらの薬剤４と改良土１とを混ぜる。
【００２３】
このようにすると、改良土１に含まれていた水酸化カルシウムは、過燐酸石灰、重過燐酸石灰若しくは硫酸マグネシウム４と反応して難溶性の塩を形成し、かくして、改良土１のアルカリ度は、緑化を行うのに十分な程度まで低下する。
【００２４】
次に、このような化学反応が進行するのを待って、同図（ｂ）に示すように斜面２に植物５を植栽し、緑化を行う。
【００２５】
以上説明したように、本実施形態に係るアルカリ地盤の改良方法によれば、改良土１に含まれている水酸化カルシウムが過燐酸石灰、重過燐酸石灰若しくは硫酸マグネシウム３といった薬剤と反応して難溶性の塩を形成するので、改良土１を含む斜面２のアルカリ度が低下し、緑化に適した環境を作ることが可能となる。
【００２６】
また、本実施形態によれば、薬剤として燐酸系若しくは硫酸系化学肥料を用いるようにしたので、入手が容易であるとともに、散布を行う作業員には特別な資格が必要とされない。また、散布時の安全性が高く、しかも過剰散布の場合の悪影響が少ない。
【００２７】
また、本実施形態によれば、かかる化学肥料として、特に過燐酸石灰、重過燐酸石灰若しくは硫酸マグネシウムを使用するようにしたので、後述するように、電気伝導度ＥＣをあまり上昇させることなく、ｐＨを１０程度に下げることが可能となり、ほとんどの植物を生育させる環境を作り出すことができる。
【００２８】
図２は、本実施形態に係るアルカリ地盤の改良方法における作用効果を確認した実験の結果を示したグラフである。同グラフに示す実験は、過燐酸石灰、重過燐酸石灰、硫酸マグネシウム、硫酸カリ苦土をそれぞれ改良土に添加してｐＨの低下状況を調べた結果であり、同グラフから、硫酸カリ苦土を除く上述の３つの薬剤については、単位容積当たりの添加量を２〜５重量％程度添加することによって、ｐＨが１０程度まで低下していることがわかる。
【００２９】
また、同グラフ（ｂ）に示す実験は、同じケースについて電気伝導度ＥＣの増加状況を調べた結果であり、同グラフからは、上述した添加量の下では、電気伝導度ＥＣが２ｍｓ／ｃｍ程度までしか上昇せず、植物の成長にはほとんど影響しないであろうことが考察される。
【００３０】
これらのグラフから得られた結果の原因として、過燐酸石灰若しくは重過燐酸石灰の場合については、それらに含まれている燐酸成分と水酸化カルシウムとが
Ｈ３ＰＯ４＋Ｃａ（ＯＨ）２　　→ＣａＨＰＯ４＋２Ｈ２Ｏ
または
２Ｈ３ＰＯ４＋３Ｃａ（ＯＨ）２　　→Ｃａ３（ＰＯ４）２＋６Ｈ２Ｏ
という形で反応して、水酸化カルシウムが難溶性のＣａＨＰＯ４あるいはＣａ３（ＰＯ４）２　と水に変化し、ｐＨが低下したものと予想される。
【００３１】
また、硫酸マグネシウムの場合については、
ＭｇＳＯ４　＋　Ｃａ（ＯＨ）２　　→　Ｍｇ（ＯＨ）２　＋　ＣａＳＯ４
という形で反応し、水酸化イオンが難溶性であるＭｇ（ＯＨ）２に取り込まれることとなって、ｐＨが低下したものと予想される。
【００３２】
表１は、本実施形態に係るアルカリ地盤の改良方法における作用効果を実際の植物について確認した実験結果を示した表である。
【００３３】
【表１】
2004059905.tif 000003
【００３４】
同表に示す実験は、薬剤を添加しない場合をはじめ、過燐酸石灰、重過燐酸石灰、硫酸マグネシウム、硫酸カリ苦土をそれぞれ添加した合計５ケースについてそれぞれ添加量を変化させてコマツナの生育状況を調べた結果であり、同表からは、過燐酸石灰、重過燐酸石灰及び硫酸マグネシウムを添加した改良土については、コマツナの生育状況について明らかな改善効果が見られる。なお、本実験では、改良土内のアルカリ成分が植物の成長にもっとも影響を与える結果となるよう、改良土の水分を飽和状態として行った。
【００３５】
本実施形態では、堤体材に使用された改良土について本発明を適用した例を説明したが、本発明は、改良土の用途について限定するものではなく、堤体材以外にも盛土などにも適用することができることは言うまでもない。
【００３６】
【発明の効果】
以上述べたように、本発明に係るアルカリ地盤の改良方法によれば、改良土のｐＨを低下させるとともに該改良土の電気伝導度ＥＣの上昇を抑制することによって、ほとんどの植物を生育させる環境を作り出すことが可能となる。
【００３７】
【図面の簡単な説明】
【図１】本実施形態に係るアルカリ地盤の改良方法の略図。
【図２】本実施形態に係るアルカリ地盤の改良方法の作用を示すグラフ。
【符号の説明】
１　　　　　　　　　　改良土
４　　　　　　　　　　　　　　　　　　　　過燐酸石灰、重過燐酸石灰若しくは硫酸マグネシウム（燐酸系若しくは硫酸系化学肥料、薬剤）
【図１】
2004059905.tif 000004
【図２】
2004059905.tif 000005